(57)【要約】      （修正有）【課題】タブレット方式の携帯端末において、ドキュメント表示画面上で、直接、且つ簡易な操作で表示文字列の文字装飾操作が可能である文字編集方法を提供する。【解決手段】表示画面上に設けられた文字編集用シンボルを選択した場合に、フリック操作によるページ送りをロックすると共に、文字編集モードに移行させる文字編集モード移行手段と、上記文字編集モードにおいて、所定範囲の文字列を選択する文字列選択手段と、上記文字列選択手段によって文字列を選択後、選択状態の文字列を保存する選択文字列保存手段と、上記選択文字列保存手段で保存されている選択状態の文字列に対して、所定の装飾を反映する文字装飾手段と、上記文字編集モードにおいて、上記表示画面上に表示された文字編集終了シンボルを選択することにより、文字編集モードを終了させると共に、フリック操作によるページ送りのロックを解除する文字編集モード終了手段を備えた構成とする。【選択図】図１０
2012133562.tif 000002
【特許請求の範囲】
【請求項１】
タブレット方式の携帯端末において、複数のページからなるドキュメントを表示させた場合の文字編集方法であって、
所定枚数のドキュメントページデータをページ単位に表示する表示画面上において、指若しくはタッチペンによって、上記表示画面上に設けられた文字編集用シンボルを選択した場合に、フリック操作によるページ送りをロックすると共に、文字編集モードに移行させる文字編集モード移行手段と、
上記文字編集モードにおいて、指若しくはタッチペンを、上記表示画面上に表示されている文字列に沿って移動させることによって、所定範囲の文字列を選択する文字列選択手段と、
上記文字列選択手段によって文字列を選択後、上記表示画面から指を離した時点において、選択状態の文字列を保存する選択文字列保存手段と、
上記文字編集モードに設けられた文字装飾用シンボルを選択することによって、上記選択文字列保存手段で保存されている選択状態の文字列に対して、所定の装飾を反映する文字装飾手段と、
上記文字編集モードにおいて、上記表示画面上に表示された文字編集終了シンボルを選択することにより、文字編集モードを終了させると共に、フリック操作によるページ送りのロックを解除する文字編集モード終了手段とを備えることを特徴とするタブレット方式の携帯端末における文字編集方法。
【請求項２】
上記文字装飾手段は、指若しくはタッチペンで、上記文字装飾用シンボルを選択した場合に、装飾内容選択メニューを表示する装飾内容選択手段と、上記装飾内容選択メニューから所定の装飾内容を選択した場合に、選択した装飾内容を、上記選択文字列保存手段で保存されている選択状態の文字列に対して反映する装飾内容反映手段とを備えることを特徴とする請求項１記載のタブレット方式の携帯端末における文字編集方法。
【請求項３】
上記文字装飾用シンボルには、文字装飾の種別毎に複数設けられていることを特徴とする請求項１記載のタブレット方式の携帯端末における文字編集方法。
【請求項４】
上記文字装飾用シンボルには、文字色変更用シンボルを含むことを特徴とする請求項１または請求項２記載のタブレット方式の携帯端末における文字編集方法。
【請求項５】
上記文字装飾用シンボルには、文字フォント変更用のシンボルを含むことを特徴とする請求項１または請求項２記載のタブレット方式の携帯端末における文字編集方法。
【発明の詳細な説明】
【技術分野】
【０００１】
本発明は、指若しくは専用のタッチペンによって操作を行う、タブレット方式の携帯端末において、複数のページからなるドキュメントを表示させた場合の文字編集方法に関する。
【背景技術】
【０００２】
キーボード、マウス等の外部機器を使用せず、表示画面上を、専用のタッチペン、若しくは指で直接選択して操作する、所謂タブレット方式の携帯端末は、昨今では、スマートフォンに代表される携帯端末から、無線ＬＡＮによる通信機能を有し、インターネット上のページ閲覧、ドキュメントのビューワー、各種ゲーム等の多彩なアプリケーションによってカスタマイズが可能な、ノートサイズの小型端末まで多種多用な形態が普及しつつある。
【０００３】
タブレット方式の携帯端末は、キーボード、マウス等の外部の操作機器を接続せずに、画面を直接、指若しくは専用のタッチペンで触れることによって画面操作を行う。
上記画面操作の内、画面上の特定位置、若しくはシンボルを指で軽く叩くことで選択するタップ操作、上記タップ操作をすばやく続けて２回行うダブルタップ操作、及び指で所定のシンボルに所定時間触れた状態から、所定方向に指をずらして、選択対象シンボルを移動させるドラッグ操作については、夫々マウスによるクリック、ダブルクリック、及びドラッグ操作に相当し、マウスによる操作と感覚的に大差は無い。
上記の画面操作の他、タブレット方式の特有の操作方法として、複数のページから構成されたドキュメントを、ページ単位に画面に表示させた場合に、指を、画面に触れた状態で、特定方向に軽く払うことによって、ドキュメントのページ送り、またはページ戻しを行うフリック操作、及び表示画面上の特定位置を拡大縮小するために、２本の指を、上記特定位置を摘むように当接させ（ピンチ操作）、当接させた指の間隔を拡げる若しくは縮めることによって、表示の拡大、縮小を行う、ピンチアウト、ピンチインの操作等がある。
【０００４】
近年においては、タブレット携帯端末上で動作しうる、アプリケーションソフトウェアも多種多用となっており、例えば、同一ページ上において、テキストの他、写真等のイメージを表示することができる、電子アルバム態様のドキュメントを作成するドキュメント作成ソフトも存在している。
上記のようなドキュメント作成ソフトは、電子アルバムの他、日記等の作成にも使用することも可能であり、文字等のテキストデータと、写真等のイメージデータが混在し、且つ複数のページから構成されるドキュメントの作成、編集及び管理を行うことができる。
【０００５】
上記ドキュメント作成ソフトの表示画面例を図８に示す。
図８に示すように、表示画面７０には、複数のページからなるドキュメントをページ単位に表示する。
上記表示画面７０は、文字列７１からなるテキストデータと、写真７２等のイメージデータを貼り付けることが可能な表示エリア７３が設けられている。
ドキュメントが複数ページに亘る場合には、上記表示画面７０上の上記表示エリア７３において、図中矢印ＡまたはＢの方向に指、若しくはタッチペン７４でフリック操作を行うことによって、前後のページへのページ送りが可能である。
【０００６】
また、上記文字列７１を新規に入力、若しくは修正する場合には、表示エリア７３を、指、若しくはタッチペン７４でタップ若しくはダブルタップすることによって、図９に示すように、文字入力用のソフトキー８１と、テキスト入力エリア８２とを有する編集専用画面８０を表示が切り替わる。
上記編集専用画面８０において、上記ソフトキー８１によって所定の文字列８３を入力し、確定シンボル８４を選択することによって、図８に示す表示画面７０の表示エリア７３に、入力された文字列７１が反映される。
また、図８に示すように、入力した文字列７１の所定範囲において、表示フォントの種類の変更、及びフォント色、網掛け等の文字装飾操作を行う場合には、上記表示エリア７３を指、若しくはタッチペン７４でタップ若しくはダブルタップすることによって、一旦、図９に示す編集専用画面８０に画面遷移させた上で、行われていた。
例えば、文字色を変更する場合には、上記編集専用画面８０のテキスト入力エリア８１上で、指若しくはタッチペン７４を、表示されている文字列８３に沿って移動させることによって、上記文字列８３の所定範囲を選択し、上記編集専用画面８０のソフトキー８１内等に別途設けられた文字色変更用シンボル（図９には図示せず）等を選択することによって、所定の文字色に変更していた。
【０００７】
上記のような手順で文字装飾操作を行う理由としては、図８に示す、表示画面７０の表示エリア７３で文字列の所定範囲の選択操作を行った場合、文字列７１に沿って指を移動させる範囲選択操作と、ドキュメントのページ送りのためのフリック操作とが極めて近似する操作となることから、携帯端末側においてこれらの区別ができず、文字列７１の選択操作を行った場合に、ドキュメントのページ送りがされてしまい、文字列選択が正常に行えないことにあった。
従って、文字列飾後の表示画面７０上における反映イメージは、一旦表示画面７０に戻って確認しながら行う必要があった。
従って文字装飾操作は、図９に示す、編集専用画面８０と、図８に示す表示画面７０を順次切替ながら行う必要があり、文字装飾操作が非常に煩雑となるという不具合を有していた。
【０００８】
近年、小型携帯端末の高機能化に伴い、ドキュメント編集作業等を携帯端末で行う旨の要望が非常に高まっているにも関わらず、現在までに、上記不具合に対する有効な解決手段は実現されていなかった。
【発明の開示】
【発明が解決しようとする課題】
【０００９】
本発明の解決する課題は、タブレット方式の携帯端末において、複数のページからなるドキュメントを表示させた場合に、上記ドキュメント表示画面上で、直接、且つ簡易な操作で表示文字列の文字装飾操作が可能である、タブレット方式の携帯端末における文字編集方法を提供することにある。
【課題を解決するための手段】
【００１０】
上記課題を解決するため、請求項１の発明に係る文字編集方法は、タブレット方式の携帯端末において、複数のページからなるドキュメントを表示させた場合の文字編集方法であって、所定枚数のドキュメントページデータをページ単位に表示する表示画面上において、指若しくはタッチペンによって、上記表示画面上に設けられた文字編集用シンボルを選択した場合に、フリック操作によるページ送りをロックすると共に、文字編集モードに移行させる文字編集モード移行手段と、上記文字編集モードにおいて、指若しくはタッチペンを、上記表示画面上に表示されている文字列に沿って移動させることによって、所定範囲の文字列を選択する文字列選択手段と、上記文字列選択手段によって文字列を選択後、上記表示画面から指を離した時点において、選択状態の文字列を保存する選択文字列保存手段と、によって、上記選択文字列保存手段で保存されている選択状態の文字列に対して、所定の装飾を反映する文字装飾手段と、上記文字編集モードにおいて、上記表示画面上に表示された文字編集終了シンボルを選択することにより、文字編集モードを終了させると共に、フリック操作によるページ送りのロックを解除する文字編集モード終了手段とを備えることを特徴とする
【００１１】
従って、フリック操作によりページ送りがロックされるため、ドキュメントページデータをページ単位に表示する表示画面において、文字列の選択が可能となり、別画面に切り替えることなく、表示文字列の文字装飾操作を行うことが可能となる。
【００１２】
また、請求項２に記載した発明に係る文字編集方法は、上記文字装飾手段は、指若しくはタッチペンで、上記文字装飾用シンボルを選択した場合に、装飾内容選択メニューを表示する装飾内容選択手段と、上記装飾内容選択メニューから所定の装飾内容を選択した場合に、選択した装飾内容を、上記選択文字列保存手段で保存されている選択状態の文字列に対して反映する装飾内容反映手段とを備えることを特徴とする。
【００１３】
従って、上記装飾内容選択手段で選択した装飾内容が、選択した文字列に対して反映される。
【００１４】
また、請求項３に記載した発明に係る文字編集方法は、上記文字装飾用シンボルは、文字装飾の種別毎に複数設けられていることを特徴とする。
【００１５】
文字修飾の種別とは、例えば、文字色、文字フォント、網掛け、アンダーライン付け等を指し、夫々の文字装飾種別は、複数の具体的な装飾内容を有している。
また装飾内容とは、文字色の場合は、具体的な彩種別、文字フォントの場合には、具体的なフォント名称、網掛けの場合は、網掛け模様の種類、アンダーライン付けの場合は、アンダーラインの線の太さ等、実際に文字列に反映する形態を示している。
従って、複数の文字装飾の種別毎に文字装飾を設けることによって、文字修飾の種別を複数組み合わせて、より詳細な文字装飾を反映することができる。
【００１６】
また、請求項４に記載した発明に係る文字編集方法は、上記文字装飾用シンボルには、文字色変更用シンボルを含むことを特徴とする。
【００１７】
従って、複数の文字色に対応して文字色を変更することができる。
【００１８】
また、請求項５に記載した発明に係る文字編集方法は、上記文字装飾用シンボルには、文字フォント変更用のシンボルを含むことを特徴とする。
【００１９】
従って、複数のフォントに対応して表示文字フォントを変更することができる。
【発明の効果】
【００２０】
請求項１の発明にあっては、所定枚数のドキュメントページデータをページ単位に表示する表示画面上において、指若しくはタッチペンによって、上記表示画面上に設けられた文字編集用シンボルを選択した場合に、フリック操作によるページ送りをロックすると共に、文字編集モードに移行させる文字編集モード移行手段と、上記文字編集モードにおいて、指若しくはタッチペンを、上記表示画面上に表示されている文字列に沿って移動させることによって、所定範囲の文字列を選択する文字列選択手段と、上記文字列選択手段によって文字列を選択後、上記表示画面から指を離した時点において、選択状態の文字列を保存する選択文字列保存手段と、上記文字編集モードに設けられた文字装飾用シンボルを選択することによって、上記選択文字列保存手段で保存されている選択状態の文字列に対して、所定の装飾を反映する文字装飾手段と、上記文字編集モードにおいて、上記表示画面上に表示された文字編集終了シンボルを選択することにより、文字編集モードを終了させると共に、フリック操作によるページ送りのロックを解除する文字編集モード終了手段とを備えることから、フリック操作によりページ送りがロックされるため、ドキュメントページデータをページ単位に表示する表示画面において、文字列の選択が可能となり、表示画面を別画面に切り替えることなく、簡易な操作で表示文字列の文字装飾操作を行うことが可能なタブレット方式の携帯端末における文字編集方法を提供することができる。
【００２１】
また、請求項２の発明にあっては、上記文字装飾手段は、指若しくはタッチペンで、上記文字装飾用シンボルを選択した場合に、装飾内容選択メニューを表示する装飾内容選択手段と、上記装飾内容選択メニューから所定の装飾内容を選択した場合に、選択した装飾内容を、上記選択文字列保存手段で保存されている選択状態の文字列に対して反映する装飾内容反映手段とを備えることから、上記装飾内容選択手段で選択した、装飾内容が選択した文字列に対して反映されるため、文字装飾内容をより詳細に設定することができる。
また請求項４の発明にあっては、上記文字装飾用シンボルには、文字色変更用シンボルを含むことから、詳細な文字色設定が可能となる。
更に請求項５の発明にあっては、上記文字装飾用シンボルには、文字フォント変更用のシンボルを含むことから、詳細な文字フォント設定が可能となる。
【００２２】
また、請求項３の発明にあっては、上記文字装飾用シンボルは、文字装飾の種別毎に複数設けられていることから、文字列に対して、複数の装飾種別を組み合わせて、より複雑な文字装飾を反映することができる。
【図面の簡単な説明】
【００２３】
【図１】本発明の実施例の一形態を示し、実施例の形態におけるドキュメントページの表示画面の構成を示す画面図である。
【図２】本発明の実施例の一形態を示し、文字編集モード画面に移行した状態の表示画面の構成を示す画面図である。
【図３】本発明の実施例の一形態を示し、文字編集モード画面に移行した状態の表示画面において、文字装飾を文字列の範囲を選択した状態を示す画面図である。
【図４】本発明の実施例の一形態を示し、文字編集モード画面に移行した状態の表示画面において、文字色変更シンボルを選択した状態を示す画面図である。
【図５】本発明の実施例の一形態を示し、文字編集モード画面に移行した状態の表示画面において、文字色が変更された状態を示す画面図である。
【図６】本発明の実施例の一形態を示し、文字色変更後、文章編集モード画面を終了した状態の表示画面の構成を示す画面図である。
【図７】本発明の実施例の一形態を示し、文字編集モード画面に移行した状態の表示画面において、文字フォント変更シンボルを選択した状態を示す画面図である。
【図８】従来のドキュメント作成ソフトの表示画面の構成を示す画面図である。
【図９】従来のドキュメント作成ソフトの編集専用画面の構成を示す画面図である。
【図１０】本発明の実施例の一形態を示し、実施例の形態における文字編集方法の処理フローを示すフローチャートである。
【発明を実施するための最良の形態】
【００２４】
本発明を実施するための形態について、ドキュメントページの表示画面において、文字列の表示色を変更する場合を例に、添付図面を用いて以下説明する。
図１及び図１０に示すように、本実施例に係る文字編集方法１０は、所定枚数のドキュメントページデータをページ単位に表示する表示画面２０上において、指２１によって、上記表示画面２０上に設けられた文字編集用シンボル２２を選択した場合に、図２及び図１０に示すように、フリック操作によるページ送りをロックすると共に、文字編集モードに移行させる文字編集モード移行手段１１と、図３、及び図１０に示すように、上記表示画面２０上において、指２１を、表示されている文字列２３に沿って移動させることによって、所定範囲の文字列２３を選択する文字列選択手段１２と、上記文字列選択手段１２によって文字列２３を選択した後に、表示画面２０から指２１を離した時点において、選択状態の文字列２３を保存する選択文字列保存手段１３と、図４、図１０に示すように、上記表示画面２０上において、装飾種別に複数設けられた文字装飾用シンボル２４ａ、２４ｂ、２４ｃ、２４ｄを選択することによって、上記選択文字列保存手段１３で保存されている選択状態の文字列２３に対して、所定の装飾を反映する文字装飾手段１４と、図５、図１０に示すように、上記表示画面２０において、上記表示画面２０上に表示された文字編集終了シンボル２５を選択することにより、図６、図１０に示すように文字編集モードを終了させると共に、フリック操作によるページ送りのロックを解除する文字編集モード終了手段１５を備えている。
【００２５】
また、上記文字装飾手段１４は、指２１で上記文字装飾用シンボル２４を選択した場合に、装飾内容を選択する装飾内容選択メニュー２６を表示する装飾内容選択手段１６と、図５、図１０に示すように、上記装飾内容選択手段１６により表示された装飾内容選択メニュー２６から所定の装飾内容を選択した場合に、選択した装飾内容を、上記選択文字列保存手段１３で保存されている選択状態の文字列に対して反映する装飾内容反映手段１７とを備えている。
また、上記文字装飾用シンボル２４ａは文字色変更用シンボル、２４ｂは文字フォント変更用シンボルを示している。
【実施例１】
【００２６】
本実施例の構成について添付図面を用いて以下説明する。
図１は、スマートフォン等のタブレット方式の小型の携帯端末において、ドキュメント編集ソフトウェアを起動して、複数のページからなるドキュメントを表示させた場合の表示画面２０の画面図である。
図１に示すように、表示画面２０は、上端部に当該ドキュメント編集ソフトウェアの終了シンボル３２と、ページ送りシンボル３１、３１と、上記ページ送りシンボル３１、３１の間に現在ページ番号２７が、夫々表示されている。
また、画面中央部には、文字列２３からなるテキストデータと、写真２８等からなるイメージデータを混在して表示可能な表示エリア２９が配置され、上記表示画面２０の下端部には、ページの印刷レイアウト表示、一覧表示等を行う機能シンボル３０、３０と、文字編集モードに移行するための、文字編集用シンボル２２が配設されている。
ドキュメントのページ送りを行う場合は、上記ページ送りシンボル３１を指で選択するか、若しくは、表示エリア２９において、左右いずれかに指２１をフリックすることによって行う。
【００２７】
以下、上記表示エリア２９に表示されている文字列２３の所定範囲を別色に色替えする手順について、添付図面を用いて説明する。
図１に示すように、表示画面２０において、文字編集用シンボル２２を指でタップ若しくはダブルタップすることによって選択し、図２に示すように文字編集モード移行手段１１によって、文字編集モードへの移行処理１１ａ、及び、フリック操作によるページ送りのロック処理１１ｂが行われる。
図２に示すように、文字編集モードにあっては、表示画面２０の上端部に「文字スタイル編集」のモード表示３３が表示され、文字編集モードであることを表示すると共に、上記文字の近傍には、文字編集モードを終了させる文字編集モード終了手段１５を起動する文字編集終了シンボル２５が配置されている。
また、図２に示すように、文字編集モードにおいては、表示画面２０の下端部には、文字色変更用シンボル２４ａ、文字フォント変更用シンボル２４ｂの他、太文字変更用シンボル２４ｃ、アンダーライン追加用シンボル２４ｄが配置されている。
【００２８】
図３に示すように、文字列２３において文字色を変更する範囲を指２１でなぞるように移動させることによって、選択された範囲の文字列２３が網掛け表示されると共に、選択範囲が選択文字列保存手段１３によって保存される。
【００２９】
この状態で、図４に示すように、表示画面２０の下端部に配置された文字色変更用シンボル２４ａを指２１で選択することによって、変更する色を選択しうるパレットからなる装飾内容選択メニュー２６が表示され、希望の文字色を指２１で選択することによって、網掛け中の選択文字列が指定の色に表示変更され、上記装飾内容選択メニュー２６が消去され、図５に示すように、選択範囲の文字列２３のみが指定色に色替えされる。
【００３０】
さらに、図５に示すように、表示画面上端部の左端部に配置された、文字編集モード終了シンボル２５を指２１で選択することによって、文字編集モードが終了手段１５によって、文字編集モードの終了処理１５ａが行われ、合わせて図６に示すように、文字列２３の所定範囲が指定色に変更された状態となると共に、フリック操作によるページ送りのロック解除処理１５ｂが行われる。
【実施例２】
【００３１】
また、文字列２３の文字フォントを変更する場合であっても、上記実施例１に記載したように、図３に示す、文字列２３の選択手順、及び文字列２３の選択範囲が選択文字列保存手段１３によって保存されるまでの手順は同様である。
【００３２】
本実施例にあっては、図３に示すように、表示画面２０の下端部に配置された文字フォント変更用シンボル２４ａを選択する。
これにより、図４に示すように、変更可能な文字フォントの名称が、文字フォント一覧として装飾内容選択メニュー２６に表示され、上記装飾内容選択メニュー２６で選択された文字フォントに選択した範囲の文字列のフォントが変更される。
なお、上記装飾内容選択メニュー２６において文字フォントを選択した後の手順については、実施例１と同様である。
【００３３】
実施例１及び実施例２で示すように、文字編集モード移行手段１１によって、フフリック操作によるページ送りがロックされているため、文字列２３の範囲選択操作において、意に反してページ送りされてしまうことがない。
また、文字色及び文字フォントの変更操作において、表示エリア２９は常に同一のフォーマットで表示されていることから、文字色及び文字フォントを変更した状態を、上記表示エリア２９の全体を確認しながら迅速に行うことができる。
【００３４】
なお、表示画面のレイアウトは本実施例における一例であり、本発明の各手段を動作させるためのシンボル表示の配置、及びシンボルのイメージ等は、画面レイアウト設計において適宜変更することができる。
また、文字装飾用シンボルについては、本実施例に示す他、文字の網掛け、囲み等、必要に応じて追加することができる。
また、文字色、文字フォントについては、新規に登録することによって選択できる文字色、文字フォントの数を変更することができる。
【産業上の利用可能性】
【００３５】
本発明は、指若しくは専用のタッチペンによって操作を行う、タブレット方式の携帯端末において、複数のページからなるドキュメントを表示させた場合の文字編集方法に適用可能である。
【符号の説明】
【００３６】
１０  文字編集方法
１１  文字編集モード移行手段
１１ａ文字編集モードへの移行処理
１１ｂページ送りのロック処理
１２  文字列選択手段
１３  選択文字列保存手段
１４  文字装飾手段  
１５  文字編集モード終了手段
１５ａ文字編集モードの終了処理
１５ｂページ送りのロック解除処理
１６  装飾内容選択手段
１７  装飾内容反映手段
２０  表示画面
２１  指
２２  文字編集用シンボル
２３  文字列
２４ａ文字装飾用シンボル（文字色変更用シンボル）
２４ｂ文字装飾用シンボル（文字フォント変更用シンボル）
２４ｃ文字装飾用シンボル（太文字変更用シンボル）
２４ｄ文字装飾用シンボル（アンダーライン追加用シンボル）
２５  文字編集モード終了シンボル
２６  装飾内容選択メニュー（パレット、文字フォント）
２７  現在ページ番号
２８  写真等
２９  表示エリア
３０  機能シンボル
３１  ページ送りシンボル
３２  終了シンボル
３３  モード表示
７０  表示画面
７１  文字列
７２  写真等
７３  表示エリア
８０  編集専用画面
８１  ソフトキー
８２  テキスト入力エリア
８３  文字列
８４  確定シンボル
【図１】
2012133562.tif 000003
【図２】
2012133562.tif 000004
【図３】
2012133562.tif 000005
【図４】
2012133562.tif 000006
【図５】
2012133562.tif 000007
【図６】
2012133562.tif 000008
【図７】
2012133562.tif 000009
【図８】
2012133562.tif 000010
【図９】
2012133562.tif 000011
【図１０】
2012133562.tif 000012